(57)【要約】【課題】施工性に優れ、容易に位置決めしながら取付け可能であって、コストアップになることなく簡単に表示部を設けることのできる座付継手であり、複雑な成形加工を施すことなく現在の金型成形設備をそのまま利用して容易に成形加工できる座付継手を提供すること。【解決手段】供給口２と流出口３を有する継手本体１にこの継手本体１を内壁等の取付面１５に取付ける取付座５を設けた座付継手において、金型成形したときに生じるバリ６ａを縦軸側と横軸側の何れかの表示部６とし、この表示部６と交叉する他方の表示部７は、金型２１から成形物を取り出す際に用いる突き出しピン２６を長さ調整して形成した突き出しピン２６によって凹状又は凸状の表示部７とした座付継手である。【選択図】    図１
2004150191.tif 000002
【特許請求の範囲】
【請求項１】
供給口と流出口を有する継手本体にこの継手本体を内壁等の取付面に取付ける取付座を設けた座付継手において、金型成形したときに生じるバリを縦軸側と横軸側の何れかの表示部とし、この表示部と交叉する他方の表示部は、金型から成形物を取り出す際に用いる突き出しピンを長さ調整して形成した突き出しピンによって凹状又は凸状の表示部としたことを特徴とする座付継手。
【請求項２】
水道供給側の供給口と水栓取付用の流出口を有する継手本体に縦軸側と横軸側の位置を保持する座付部を鍛造により成形し、この座付部の縦軸側と横軸側にそれぞれ表示部を設けた請求項１記載の座付継手。
【請求項３】
供給口と流出口を有する継手本体に設けた縦軸側と横軸側の位置を保持する座付部に形成する表示部の形成方法において、この継手本体及び座付部の型成形における見切り面に発生するバリの一部をバリ取り型によって残して当該部位に表示部を形成したことを特徴とする座付継手の表示部の形成方法。
【請求項４】
供給口と流出口を有する継手本体に設けた縦軸側と横軸側の位置を保持する座付部に形成する表示部の形成方法において、金型成形時に用いる突き出しピンの長さを調整し、この突き出しピンが金型の座付部側に食い込むときには突き出し位置に凹部が形成され、或は、金型の座付部まで届かないときには凸部が形成されるようにして座付部の縦軸側、又は横軸側の何れかに表示部を形成するようにしたことを特徴とする座付継手の表示部の形成方法。
【請求項５】
請求項４における突き出しピンの先端部分にこの突き出しピンの中心を表示する凸状又は凹状のセンター出し部を形成した座付継手の表示部の形成方法。
【発明の詳細な説明】
【０００１】
【発明の属する技術分野】
本発明は、金型を利用した成形加工、特には鍛造、又は樹脂による射出成形、或は鋳造によって成形する座付継手と、この継手の表示部の形成方法に関する。
【０００２】
【従来の技術】
従来、建造物の内壁等の壁面に水栓金具を設ける場合には、通常この内壁を形成する前に、内壁よりも内側の桟などに墨ツボ等の工具を用いて予め配管位置を示すけがき線を引いておき、このけがき線位置に対して位置決めするように取付面側に座を設けた座付継手を取付けるようにしている。この場合、施工者は、けがき線に対して目視によって見当を付けて取付けるか、或はペン等で座の部分に目印をつけ、この目印をけがき線と合わせるようにして取付けを行っていたため、非常に作業性が悪くなり作業が面倒になると共に熟練を必要としていた。
【０００３】
これに対して、座の部分に特別な表示部を設けるようにした、例えば特許文献１のようなものがあり、この継手は座の一辺に形成した横方向表示部と、リブ状に形成した縦方向表示部によってけがき線に対して位置決めしながら取付けするようにしている。
この継手は、合成樹脂を射出成形によって成形したものであり、表示部であるリブ等の複雑な形状部分を成形加工するようにしたものである。
【０００４】
【特許文献１】
特開２００１−１９３１１１号公報
【０００５】
【発明が解決しようとする課題】
しかしながら、表示部を設けていない座付継手に関しては既に述べたように非常に施工性が悪く、作業時には工数が増えて時間がかかるという問題があった。
【０００６】
一方、特許文献１のように、座に対して新たに表示部を設ける場合には、金型成形時に複雑な形状になったり、このような複雑な形状の成形を行う金型は、摩耗に対する補修等の維持管理にコストを要し、コストアップの要因となっていた。
【０００７】
本発明は、上記の課題点に鑑みて開発したものであり、その目的とするところは、施工性に優れ、容易に位置決めしながら取付け可能であって、コストアップになることなく簡単に表示部を設けることのできる座付継手であり、更には、複雑な成形加工を施すことなく現在の金型成形設備をそのまま利用して容易に成形加工できる座付継手を提供することを目的とする。
【０００８】
【課題を解決するための手段】
上記の目的を解決するため、請求項１に係る発明は、供給口と流出口を有する継手本体にこの継手本体を内壁等の取付面に取付ける取付座を設けた座付継手において、金型成形したときに生じるバリを縦軸側と横軸側の何れかの表示部とし、この表示部と交叉する他方の表示部は、金型から成形物を取り出す際に用いる突き出しピンを長さ調整して形成した突き出しピンによって凹状又は凸状の表示部とした座付継手である。
【０００９】
請求項２に係る発明は、水道供給側の供給口と水栓取付用の流出口を有する継手本体に縦軸側と横軸側の位置を保持する座付部を鍛造により成形し、この座付部の縦軸側と横軸側にそれぞれ表示部を設けた座付継手である。
【００１０】
請求項３に係る発明は、供給口と流出口を有する継手本体に設けた縦軸側と横軸側の位置を保持する座付部に形成する表示部の形成方法において、この継手本体及び座付部の型成形における見切り面に発生するバリの一部をバリ取り型によって残して当該部位に表示部を形成した座付継手の表示部の形成方法である。
【００１１】
請求項４に係る発明は、供給口と流出口を有する継手本体に設けた縦軸側と横軸側の位置を保持する座付部に形成する表示部の形成方法において、金型成形時に用いる突き出しピンの長さを調整し、この突き出しピンが金型の座付部側に食い込むときには突き出し位置に凹部が形成され、或は、金型の座付部まで届かないときには凸部が形成されるようにして座付部の縦軸側、又は横軸側の何れかに表示部を形成するようにした座付継手の表示部の形成方法である。
【００１２】
請求項５に係る発明は、前記突き出しピンの先端部分にこの突き出しピンの中心を表示する凸状又は凹状のセンター出し部を形成した座付継手の表示部の形成方法である。
【００１３】
【発明の実施の形態】
以下に、本発明における座付継手と座付継手の表示部の形成方法の一実施形態を図面に従って説明する。
図１及び図３において、１は継手本体であり、この継手本体１は、例えば、鍛造加工によって金型を利用した成形加工で形成するようにしている。なお、継手本体１は、これ以外にも金型を用いる成形手段であれば、樹脂による射出成形や鋳造、或は砂型鋳造等、その他の成形手段によって成形することができる。また、継手本体１は、例えば、黄銅に代表されるような銅合金を材料としているが、これ以外の金属材料、或は、合成樹脂などの材料によるものであってもよい。
【００１４】
継手本体１は、供給管１１を接続する供給口２と、流出管１２又は図示しない水栓金具を接続する流出口３を有し、この供給口２と流出口３によって本体１内部の略９０°Ｌ字型に屈曲された流体流路４が構成されるエルボ型の継手であり、この直交する流路４を取付側である取付面１５に取付座（座付部）５を介してボルト・木ねじ等の固着金具１６で取付けるようにしている。ここで、取付面１５は、建造物の内壁よりも内側の桟や、内壁や外壁の壁面である。
【００１５】
流路４の上流側である水道用供給側の供給口２に接続される供給管１１は、主に、ポリエチレン管等の供給管であり、この供給管１１は、本例においては供給口２に設けた継手部にワンタッチで接続できるようにしている。本例は一例を示したもので、図３に示すように端部１１ａより鍔部１３ａを設けたインコア１３を挿入し、この鍔部１３ａを端部１１ａに当接させた状態で供給管２に挿入可能に設けている。
【００１６】
継手本体１における供給口２の内部側には、シール部材２ａと、このシール部材２ａより端部側にスペーサ２ｇ、次いで、止め輪２ｃをスペーサリング２ｂを介して２個配設し、この止め輪２ｃは、内径面側に鉤部２ｅを流路方向に曲折して設けている。
供給管１１を供給口２より挿入すると、供給管１１の外周面にシール部材２ａが密接してシールすると共に、鉤部２ｅが供給管１１の外周面側に食い込んで供給管１１を抜け止め防止可能に設けている。なお、この供給口２付近の一部をくり貫いて円弧状穴２ｄを設け、供給口２の内側にこの円弧状穴２ｄを覆う半透明の環状インジケータ２ｆを配置しているので、このインジケータ２ｆを介して供給管１１の挿入状態を確認することができ、供給口２に対して供給管１１を適切な位置まで挿入することができる。
【００１７】
一方、流路４の下流側である水栓取付用の流出口３に接続される流出管１２は、例えば、金属で成形され、端部側外周にはおねじ３ａが形成されている。流出口３の円周側には、めねじ３ａを設けるようにしており、流出管１２を螺着して密封シールするようにして、供給管１１からこの流出管１２までの流路４を形成している。
なお、図示しないが、流出管１２の他端側には、水栓金具が適宜の螺着手段を用いて螺着されているか、或はこの流出管１２の替わりに水栓金具を直接螺着するように構成している。
【００１８】
座付部５は継手本体１を取付面１５に取付けるためのものであり、厚みを有する矩形の板状に形成している。本実施形態において、この座付部５は垂直方向に流路が形成された供給管１１と水平方向に流路が形成された流出管１２とよりなる略９０°流路方向が変わる流路を接続するために供給管１１側の流路方向と平行で、且つ流出管１２側の流路方向に直交するような位置に形成している。また、この座付部５において取付面１５との取付側に取付側面５ａを設けている。従って、本実施形態においては、供給口２側の流路方向を縦軸側、流出口３側の流路に直交し、且つ水平方向を横軸側としている。
【００１９】
５ｂは座付部５に適宜数設けた穿孔穴であり、この穿孔穴５ｂは、例えば、座付部５の４箇所に設けられ、この穿孔穴５ｂに固着金具１６を挿通させるようにして取付面１５に対して座付部５を位置決め固定するようにして継手本体１を取付けている。
【００２０】
このように継手本体１は、縦軸側と横軸側の位置を保持する板状の座付部５を鍛造により成形し、この座付部５の側面において、縦軸側と横軸側にそれぞれ表示部６、７を側面中央に設けている。この縦軸側と横軸側の何れかの表示部６又は７は、継手本体１を後述する金型成形したときに生じるバリ６ａにより形成しており、また、この一方側の表示部と交叉する他方の表示部は、金型から取り出す際に用いる突き出しピン２６を長さ調整して形成した突き出しピン２６によって凹状、又は凸状の表示部とした。
【００２１】
具体的には、縦軸側の表示部６を継手本体１の金型成形時に生じるバリ６ａを後加工して残したものとし、この表示部６は座付部５の側面に対して供給口２側の流路の中心を投影した位置に設け、座付部５の水平方向に対して中央位置に形成するようにしている。この表示部６によって継手本体１の取付時の縦軸側の位置を調整し、表示部６を取付面１５に設けたけがき線９に合わせることによって縦軸側を位置決めすることができる。なお、表示部６は、バリ６ａを後加工することによって形成したものであるから、このバリ６ａを後加工する際には、表示部６として視認可能な最低限の高さに抑える等により容易に欠けたりすることのないような形状とするのが望ましい。とりわけ、黄銅等の鍛造成形によれば、内部欠陥のない健全な座付継手及び強固な表示部を得ることができる。
【００２２】
一方、横軸側の表示部７は、突き出しピン２６の長さ調整によって凸状に形成したものであり、この表示部７は座付部５に対して縦方向の供給口２の軸と平行となる座付部５の上下の表示部６、６を結んだ線と直交し、しかも、流出口３の軸心と同じ高さになるようにしている。
【００２３】
これらの表示部６、７を継手本体１に設けることによって、取付時にはけがき線９、又は後述するけがき線１０に対して対して容易に位置決めした状態で取付けを行うことができ、容易に施工することができる。
【００２４】
次に、継手本体１における表示部の形成方法について説明すると、座付部に形成する表示部６の表示形成方法において、継手本体１を金型成形の見切り面に発生するバリ６ａの一部をバリ取り型２０によって当該部位に表示部６を形成したものである。
【００２５】
表示部６の成形時には、特に、継手本体１のような複雑な形状のものを成形する場合、型の隅々まで材料が流れていくように型よりも大きい材料を使用し、この材料を、例えば鍛造により成形する際には熱した金属棒の切片（コロ）２５を材料としている。２１は上型２２、下型２３とよりなる金型であり、鍛造成形後の切片が変形したものを成形体２７とすると、バリ６ａは、成形体２７において上型２２と下型２３の見切り面上、すなわち型の合わせ面の隙間に発生するが、この見切り面を縦軸（或は横軸）を含む平面状になるように設定しておくことによって、表示部６を座付部５の縦軸側の中心線位置に設けることができ、表示部６を取付面１５のけがき線９と合わせながら取付けることで縦軸側のセンターマークとして利用できる。
バリ６ａは、通常、バリ取り型２０により成形体２７より切除されるが、本発明では、このバリ取り型２０に成形体２７の当該部位に形成する表示部６の厚みを残すようにして逃げ部２０ａを設けており、金型２１によって切片２５を鍛造加工した後に生じるバリ６ａの一部をこの逃げ部２０ａによって残すように加工し、表示部６を形成する。
【００２６】
座付部５の他方側の表示部７を成形する際には、切片２５を鍛造加工した後の成形体２７を金型２１から取り出す時に使用する押し板２４に設けた突き出しピン２６を利用して行い、成形時にこの突き出しピン２６の座付部付近への進入具合によって表示部７を形成するようにし、突き出しピン２６の長さを調整することで表示部７の凸凹を調節している。成形時に突き出しピン２６が金型２１の座付部位側に食い込むときには、この食い込み部分には切片２５が入り込まないため突き出し位置に対応する座付部５には凹部が形成され、或は、座付部まで届かないときには、上型２２、下型２３における突き出しピン２６が摺動するときの穴部２６ａまで切片２５が入り込んで座付部５に凸部が形成され、この座付部５の座の側面側に表示部７が形成される。即ち、突き出しピン２６の長さを適宜に調整し、実施に応じて突き出しピン２６の長さを設定する。
【００２７】
次に、表示部６、７の表示形成方法について、鍛造工程を例に図を用いて説明する。
図５（ａ）は、上型２２と下型２３よりなる金型２１を対向して配置した状態を示したものであり、下型２３には、押し板２４に固定された突き出しピン２６が内挿される穴部２６ａを数ヶ所設けている。突き出しピン２６は、鍛造成形後の成形体２７を下型２３より離脱するために用いるものであり、座付部５のように、成形品の本体部分よりも型に入り込む部分における成形体２７の離脱性を向上する手段として有効である。
【００２８】
一方、上型２２には、座付部５のように型に入り込む部分を有する成形体を成形する際に、型内部に残る空気やガスを排出するためのガス抜き穴として穴部２６ａを設けており、成形性を向上するようにしている。この上型２６の穴部２６ａにもダミーとして突き出しピン２６を内挿しており、本実施例においては、上型２２の突き出しピン２６と下型２３の突き出しピン２６の一つを、同軸上で且つ座付き部５の側面に対向するように配置している。
【００２９】
図５（ｂ）は、下型２３に金属棒の切片（コロ）２５を配置した状態を示している。
図５（ｃ）は、上型２２を下型２３に押し付けて鍛造成形した状態を示している。上型２２と下型２３との合わせ面（見切り面）には、継手本体１の最終形状の外周面よりも突出したバリ６ａが形成される。このバリ６ａの厚さは、成形体の形状などにもよるが、０ｍｍよりも大きく１ｍｍよりも小さく、約０．３ｍｍ〜０．７ｍｍのものが多い。なお、この鍛造成形の際に、あらかじめ行った突き出しピン２６の長さ調整により、表示部７が形成される。
【００３０】
図５（ｄ）は、鍛造成形後、上型２２を持ち上げて下型２３から離した状態を示している。
図５（ｅ）は、押し板２４を上昇させて突き出しピン２６を下型２３の上方に突き出した状態を示している。突き出しピン２６の上昇により、成形体２７を座付部５も含めて下型２３から円滑に離脱させることができる。
このように、本発明によれば、突き出しピン２６の長さを調整するのみで、型の修正や別途の表示工程を用いることなく、座付部５の側面に表示部７を設けることができる。
【００３１】
次に、後加工であるバリ取り工程を図６を用いて説明する。
鍛造成形後の成形体２７には、見切り面全周にわたってバリ６ａが形成されている。このバリ６ａを、あらかじめ逃げ部２０ａを設けたバリ取り型２０を用いてプレス成形することにより、表示部６が形成されると共に、余分なバリ６ａが切除される。
このように、本発明によれば、通常のバリ取り工程内で、座付部５の側面に表示部６を設けることができる。
【００３２】
突き出しピン２６による突き出し直後の成形体２７は、座付部位が取付側面５ａを中心線として断面方向に対称な形状に成形されているため、成形後には取付側面５ａを設ける加工を施す必要がある。この加工は切削加工によって行い、成形体２７の取付側面５ａとなる部分よりも下側を切り落とすことによって取付側面５ａを設けることができる。また、突き出しピン２６の位置を流出口３の軸心と水平方向に直交する横軸上に設置しているので、切削後の表示部７は略半円形状のセンターマークとなり、この表示部７を取付面１５に設けたけがき線１０と合わせるようにすれば横軸方向の位置決めをすることができる。
【００３３】
なお、本実施形態において、各表示部６、７は、座付部５において縦軸側又は横軸側において、対称位置となる上下、又は左右の位置に設けるようにする。また、縦軸側の表示部６、横軸側の表示部７は、それぞれ見切り面、又は突き出しピン２６を用いて設けているが、これらは逆であってもよく、座付部５の縦軸側、又は横軸側の何れかにおいて、何れかの表示部の形成方法を用いて表示部を形成できる。
【００３４】
従って、この座付継手の表示部の形成方法によると、表示部６、７をフラット状に形成した座付部５の取付側面５ａの縁部に隣接して設けることができるため、取付面１５に座付部５を当接させたときに取付状態を正確に視認することができる。
【００３５】
加工時には、これらの表示部６及び７は、継手本体１を加工するときの上型２２と下型２３による金型２１の成形時に生じるバリ６ａと、突き出しピン２６による型抜き時の加工工程をそのまま利用して形成でき、加工工程が増えることなく、金型が複雑になったりすることがない。
【００３６】
更に、表示部を形成するために金型を複雑にしたり、或は作業工程が増えたりすることがなく、コストアップを抑えることができる。
また、金型の維持管理が容易であり、この金型を用いた継手本体１の成形加工時には、継手本体１の成形後の加工精度に悪影響を与えることもなく製作が容易である。
なお、砂型鋳造を用いた成形においては、上型と下型の合わせ面に生ずるバリの一部を利用して表示部６を形成することができる。
【００３７】
図８、図９は、本発明の座付継手の第２、３実施形態を示す側面図であり、上記実施形態以外にも、継手本体３１のようないわゆる上座付エルボ、継手本体３２のような２面の座を有するエルボに適用することができ、各座付部３５、３６によって供給管及び流出管の方向が異なる場合等の取付面への取付けが可能となる。更に、図１０に示すような座付部３７を設けたストレートタイプの継手本体３３に供給口３８と流出口３９を設け、供給口３８にワンタッチの継手を設けた、いわゆる座付ソケットにも適用できる。この場合は、突き出しピン２６による表示部７は設けず、横軸への位置合わせは従来通り流出口３の端面３ｂにより行う。
【００３８】
図１１は成形加工後の座付部位を示した要部拡大図であり、上述したようにこの座付部位を切削加工して取付側面５ａを設けたときには、半円形状の表示部７を設けることができる。表示部７は、図１２に示すように突き出しピン２６の先端部分にこの突き出しピン２６の中心を表示する凸状又は凹状のセンター出し部として形成することによって形態の異なる表示部８を設けることができる。
このセンター出し部８は、三角形状等でもよいが、とりわけ凸状或は凹状の形状を略中心で交わる直線から形成することにより、突き出しピン２６が回転して図１２（ａ）、図１２（ｂ）又は図１２（ｃ）のいずれの状態になった場合においても取付側面５ａを切削加工した後にセンター出し部８の中心位置を容易に視認することができ、図のように、直線の向きが変わった形態の表示部８であっても確実に中心を視認することができる。
【００３９】
【発明の効果】
以上のことから明らかなように、請求項１に係る発明によると、新たな加工を施すことなく、施工性に優れた座付継手であり、座付部に設けた表示部によって容易に位置決めしながら壁面に取付けることが可能となる。また、この表示部は、コストアップになることなく簡単に設けることのできるものである。
しかも、この座付継手の成形加工時には、新たに複雑な成形加工を何ら施すことなく現在の金型成形設備をそのまま利用して容易に成形加工できるものである。
【００４０】
請求項２に係る発明によると、通常の鍛造、バリ取り工程を用いて表示部を座付部に一体に成形でき、健全で強固な表示部を得ることができ、また、取付時には、座付継手の中心位置を容易に視認することができ、短時間で簡単に取付施工することができる座付継手である。
【００４１】
請求項３に係る発明によると、加工時に生じるバリを利用して強度的にも使用に十分耐え得る表示部を設けることができ、しかも、低コストにて成形することのできる表示部の形成方法である。
【００４２】
請求項４に係る発明によると、通常の金型成形工程に用いる突き出しピンを用いて表示部を設けることができる表示部の形成方法である。
【００４３】
請求項５に係る発明によると、継手本体を取付ける際には、常に位置決め精度を高くすることのできる表示部を設けることのできる表示部の形成方法である。
【図面の簡単な説明】
【図１】本発明における座付継手の一実施形態を示した斜視図である。
【図２】本発明の座付継手の一実施形態を示した正面図である。
【図３】図１の断面図である。
【図４】図２の側面図である。
【図５】（ａ）ないし（ｅ）は座付継手の成形加工の工程を示した工程説明図である。
【図６】バリ取り加工を示した説明図である。
【図７】成形・バリ取り加工後の成形体を示した側面図である。
【図８】本発明の座付継手の第２実施形態を示す側面図である。
【図９】本発明の座付継手の第３実施形態を示す側面図である。
【図１０】本発明の座付継手の第４実施形態を示す側面図である。
【図１１】成形・バリ取り加工後の座付部位を示した要部拡大図である。
【図１２】（ａ）ないし（ｃ）は座付部位の他例を示した要部拡大図である。
【符号の説明】
１  継手本体
２  供給口
３  流出口
５  座付部（取付座）
６、７  表示部
６ａ  バリ
８  センター出し部（表示部）
１５  取付面
２０  バリ取り型
２１  金型
２６  突き出しピン
【図１】
2004150191.tif 000003
【図２】
2004150191.tif 000004
【図３】
2004150191.tif 000005
【図４】
2004150191.tif 000006
【図５】
2004150191.tif 000007
【図６】
2004150191.tif 000008
【図７】
2004150191.tif 000009
【図８】
2004150191.tif 000010
【図９】
2004150191.tif 000011
【図１０】
2004150191.tif 000012
【図１１】
2004150191.tif 000013
【図１２】
2004150191.tif 000014